(57)【要約】      （修正有）【課題】アタッチメントとして使用するのに適し、かつ、清掃部材に付着された塵がキャニスタ型等の電気掃除機の吸引力で容易かつ確実に除去される掃除用具を提供する。【解決手段】掃除機本体に吸込まれる気流を導く吸塵風路部材に取外し可能に接続される掃除用具２１であって、この用具は、用具筒体２２、用具軸３１、及び清掃部材４１を具備する。用具筒体は、前記気流が流通可能であり、内周面に掻き落とし凸部を有し、かつ、一端が出入り口として開口され、他端部が風路部材に着脱可能な挿入筒端部をなしている。用具軸３１を用具筒体２２にこの筒体の軸方向に移動可能に支持する。用具軸３１は、挿入筒端部に位置決めされた状態で出入り口から突出する部位を有し、この部位に静電気で塵を付着する毛材を植毛して清掃部材４１を形成する。この部材が、凸部に接しながら前記気流により用具軸３１と共に用具筒体２２に引込まれるようにした。【選択図】図２
2011000393.tif 000002
【特許請求の範囲】
【請求項１】
アタッチメントとして使用されて電動送風機が内蔵された掃除機本体に吸込まれる気流を導く吸塵風路部材に取外し可能に接続される掃除用具であって、
内周面に掻き落とし凸部を有し、かつ、一端が出入り口として開口され、他端部が前記吸塵風路部材に着脱可能な挿入筒端部をなしていて、前記掃除機本体に吸込まれる気流が前記出入り口から前記挿入筒端部に向けて流通可能な用具筒体と、
前記用具筒体にこの筒体の軸方向に移動可能に支持されるとともに、前記挿入筒端部に位置決めされた状態で前記出入り口から突出する長さの用具軸と、
この用具軸の前記出入り口から突出する部位に植毛されるとともに静電気で塵を付着する毛材の群で形成され、前記掃除機本体に吸込まれる気流によって、前記用具軸とともに移動されて前記掻き落とし凸部に接しながら前記用具筒体に引込まれる清掃部材と、
を具備したことを特徴とする掃除用具。
【請求項２】
前記用具軸が前記清掃部材側にばね受けを有しているとともに、前記用具筒体に設けられて前記用具軸が貫通された支持部と前記ばね受けとの間に、これらに両端を支持されて前記用具軸を前記出入り口から突出する方向に付勢するばねを設けたことを特徴とする請求項１に記載の掃除用具。
【請求項３】
前記用具軸が中空で、かつこの用具軸の前記挿入筒端部側の端が開放されているとともに、前記部位に、この部位の内外を連通する孔が複数開けられていることを特徴とする請求項１又は２に記載の掃除用具。
【請求項４】
前記清掃部材が前記用具筒体に引込まれる際に前記用具軸をその軸周りに回転させる回転付与手段を備えたことを特徴とする請求項１から３の内のいずれか一項に記載の掃除用具。
【請求項５】
前記清掃部材が前記用具筒体に引込まれる際に前記用具軸を振動させる加振手段を備えたことを特徴とする請求項１から３の内のいずれか一項に記載の掃除用具。
【請求項６】
電動送風機が内蔵された掃除機本体と、
この掃除機本体の吸塵口に接続された吸塵ホース、この吸塵ホースの先端部に取外し可能に接続される延長管、及びこの延長管の先端部に取外し可能に接続される吸込み口体を備えて、前記吸込み口体から吸込まれる気流を前記掃除機本体内に導く吸塵風路部材と、
アタッチメントとして装備され、前記吸塵ホースの先端部に取外し可能に接続して使用される請求項１から５の内のいずれか一項に記載の掃除用具と、
を具備したことを特徴とする電気掃除機。
【発明の詳細な説明】
【技術分野】
【０００１】
本発明は、細かな塵を付着させて掃除をする掃除用具と、この掃除用具を装備して使用される電気掃除機に関する。
【背景技術】
【０００２】
吸込口体、電動送風機、集塵室を有する掃除機本体と、ハンドルを有する棒状の枝とを備え、枝は掃除機本体に対し着脱自在に構成され、この枝の先端に掃除機本体内に収納自在な静電モップ等の清掃部材が装備され、この清掃部材が掃除機本体内に収納された状態において清掃部材に付着した塵埃を電動送風機にて吸引する構成の電気掃除機が、従来技術として知られている（例えば、特許文献１参照。）。
【先行技術文献】
【特許文献】
【０００３】
【特許文献１】特開２００６−３４０８２６号公報
【発明の概要】
【発明が解決しようとする課題】
【０００４】
前記従来技術は、掃除機本体を移動させために用いられるハンドル付き枝に清掃部材を装備して、この枝を掃除機本体から外して掃除用具として使用できるようにしたステック型の電気掃除機である。そのため、静電モップ等の清掃部材が装備された枝を、キャニスタ型やハンディ型の電気掃除機のアタッチメントとして使用することはできない、という課題がある。
【０００５】
しかも、仮に、キャニスタ型電気掃除機のアタッチメントとして静電モップ等の清掃部材が装備された枝を用いることが可能であるとした場合、その枝を用いた掃除後に清掃部材に付着された塵を除去するには、キャニスタ型等の電気掃除機の運転状態で、清掃部材に対してその周りから吸塵ホースの先端開口を当てるように操作して、清掃部材に付着された塵を吸引する必要がある。
【０００６】
この場合、吸塵ホースの先端開口を様々な角度で清掃部材に当てる操作を要するので、操作上不便であるとともに、吸塵ホースの先端開口の当て加減によっては清掃部材に付着された塵を確実に除去できない、という課題がある。それだけではなく、前記除塵操作において清掃部材が吸塵ホースの先端開口に吸込まれることが多々あり、それを解消するのに、都度、電動送風機の運転を停止する等の手間が必要であるので、この点でも操作上不便である。
【０００７】
又、以上のように清掃部材が装備された枝をアタッチメントとして使用できない前記従来技術の電気掃除機は、通常の使用で、枝の清掃部材が、吸込口体から集塵袋に至る風路に挿入された状態に配置されている。こうした通常の使用では、集塵袋の上流側に配置された清掃部材に塵埃が付着されるので、集塵袋での集塵不良を生じる。
【０００８】
以上のように清掃部材を有した従来の枝は、アタッチメントとして使用するのに適していないとともに、清掃部材に付着された塵をキャニスタ型等の電気掃除機の吸引力により容易かつ確実に除去し難いという課題がある。又、清掃部材が装備された枝をアタッチメントとして使用できない電気掃除機であるので、集塵袋での集塵不良を生じる、という課題がある。
【課題を解決するための手段】
【０００９】
前記の課題を解決するために、本発明は、用具筒体、用具軸、及び清掃部材を具備したアタッチメントとして使用され、電動送風機が内蔵された掃除機本体に吸込まれる気流を導く吸塵風路部材に取外し可能に接続される掃除用具であって、前記気流が流通可能な用具筒体の一端が出入り口として開口され、用具筒体の他端部が吸塵風路部材に着脱可能な挿入筒端部をなすとともに、用具筒体の内周面に掻き落とし凸部を設け、用具筒体にその軸方向に移動可能に用具軸を支持し、この用具軸が挿入筒端部に位置決めされた状態で出入り口から突出する部位に、静電気で塵を付着する毛材を植毛してこの毛材の群で形成される清掃部材を設け、この清掃部材が前記気流によって用具軸とともに移動され掻き落とし凸部に接しながら用具筒体に引込まれるようにしたことを特徴としている。
【発明の効果】
【００１０】
本発明によれば、アタッチメントとして使用するのに適しており、かつ、清掃部材に付着された塵をキャニスタ型等の電気掃除機の吸引力で容易かつ確実に除去可能な掃除用具を提供できる。又、本発明によれば、通常の電気掃除機の使用形態では吸塵風路部材から外されるアタッチメントとして掃除用具が装備されるので、この掃除用具を使用しない通常の掃除では、掃除に伴う集塵が掃除用具の清掃部材に邪魔されることなく行えるキャニスタ型の電気掃除機を提供できる。
【図面の簡単な説明】
【００１１】
【図１】本発明の第１の実施の形態に係る電気掃除機と掃除用具を分離した状態で示す斜視図である。
【図２】本発明の第１の実施の形態に係る掃除用具を拡大して示す斜視図である。
【図３】（Ａ）は図２の掃除用具を使用状態で示す平面図である。（Ｂ）は図３（Ａ）中矢印Ｆ３Ｂ−Ｆ３Ｂ線に沿って示す断面図である。
【図４】（Ａ）は図２の掃除用具を除塵状態で示す平面図である。（Ｂ）は図４（Ａ）中矢印Ｆ４Ｂ−Ｆ４Ｂ線に沿って示す断面図である。
【図５】図２の掃除用具の一部を拡大して示す断面図である。
【図６】本発明の第２の実施の形態に係る掃除用具を示す断面図である。
【図７】図６中矢印Ｆ７−Ｆ７線に沿って示す断面図である。
【図８】本発明の第３の実施の形態に係る掃除用具を示す断面図である。
【図９】図８の掃除用具の一部を拡大して示す断面図である。
【図１０】本発明の第４の実施の形態に係る掃除用具を示す断面図である。
【図１１】図９の掃除用具の一部を拡大して示す断面図である。
【発明を実施するための形態】
【００１２】
以下、図１〜図５を参照して本発明の第１の実施の形態について、詳細に説明する。
【００１３】
図１中符号１はキャニスタ型の電気掃除機を示している。この電気掃除機１は、掃除機本体２と、吸塵風路部材１１と、アタッチメントとして装備された掃除用具２１とを具備している。
【００１４】
掃除機本体２は、この本体を被掃除面である建物の床面に沿って移動させる際に回転される車輪３が取付けられた本体ケース４を備える。この本体ケース４に電動送風機５と集塵部例えば集塵袋６が内蔵されている。本体ケース４の前部は集塵袋６が着脱自在に配設される集塵室をなしており、この集塵室に連通して本体ケース４の例えば前面に吸塵口４ａが設けられている。本体ケース４は、その前部上面に集塵室の上面開口を開閉するケース蓋７を有している。本体ケース４の後部は電装室となっていてと、この電装室に電動送風機５その他の電装品が収容されている。電動送風機５の吸気口は集塵室に連通されている。電動送風機５から流出された空気を本体ケース外に放出するための排気部（図示しない）が、本体ケース４の後面部に設けられている。
【００１５】
吸塵風路部材１１は、吸塵ホース１２と、延長管１５と、吸込み口体１８とを備えている。
【００１６】
吸塵ホース１２は、可撓性のホース部１２ａの一端に本体接続管１２ｂを連結するとともに、ホース部１２ａの他端に手元管１２ｃを連結して形成されている。本体接続管１２ｂを吸塵口４ａに挿入することによって吸塵ホース１２が掃除機本体２に接続されている。手元管１２ｃにはハンドル１３が設けられている。このハンドル１３には、電動送風機５に対する各種の運転指令を与えるための複数の押しボタンを有して操作パネル１４が装着されている。
【００１７】
延長管１５は下流側管１６と上流側管１７とを有した二本継型のものである。上流側管１７は下流側管１６の内側に嵌合されてその挿入深さが多段階に調節可能であり、この調節により延長管１５の長さを使用者に合わせて伸縮できるようになっている。下流側管１６の後端部１６ａは、吸塵ホース１２の先端部、つまり、手元管１２ｃの前端部に着脱可能である。
【００１８】
吸込み口体１８は、家屋の床面を掃除するのに適した床用のもので、床ブラシと通称されている。この吸込み口体１８は、吸込みヘッド１９と接続管２０を備えている。吸込みヘッド１９はその下面に吸塵開口（図示しない）を有している。接続管２０は、吸込みヘッド１９の長手方向中央部に後向きに突出して設けられていて、吸込みヘッド１９の内部空間を経由して吸塵開口に連通している。この接続管２０は、延長管１５の先端部、つまり、上流側管１７の前端部に着脱可能である。更に、接続管２０は吸塵ホース１２の先端部をなした手元管１２ｃの前端部にも着脱可能である。
【００１９】
吸塵風路部材１１を掃除機本体２に接続した状態で、電動送風機５が運転されると、その吸込み力が、集塵室、吸塵口４ａ、吸塵ホース１２、延長管１５、及び吸込み口体１８に、この記載順に波及する。それにより、吸込み口体１８の吸塵開口から床面の塵が空気とともに吸込まれ、この含塵気流は吸塵風路部材１１に導かれて掃除機本体２の集塵室に吸込まれる。そのため、含塵空気が集塵袋６のろ過作用を受けて、集塵袋６内に溜められる塵と、集塵袋６を通過して電動送風機５に吸込まれる空気とに分離される。電動送風機５を流通した空気は掃除機本体２の排気部を通って掃除機本体外に排出される。
【００２０】
次に、図２〜図５を参照してアタッチメントとして使用される掃除用具２１について説明する。掃除用具２１は、吸塵風路部材１１に取外し可能に接続されるものであって、用具筒体２２と、用具軸３１と、清掃部材４１と、ばね４５とを備えている。
【００２１】
用具筒体２２は、大径筒部２２ａとこれより小径の挿入筒端部２２ｂにより形成された段付き円筒体に、第１の支持部２３、第２の支持部２４、及び少なくとも一つ例えば複数具体的には二個の掻き落とし凸部２５を設けて形成されている。大径筒部２２ａの内径Ｄ１（図５参照）は後述する清掃部材４１の自由状態の外径Ｄ３（図５参照）より大きい。
【００２２】
用具筒体２２の一端、つまり、大径筒部２２ａの挿入筒端部２２ｂとは反対側の端は出入り口２１ａとして開口されている。挿入筒端部２２ｂは、大径筒部２２ａの端壁２１ｃに一体に形成されていて出入り口２１ａとは反対方向に突出されている。この挿入筒端部２２ｂは、吸塵風路部材１１に着脱可能であり、具体的には、吸塵ホース１２の先端部をなした手元管１２ｃの前端部に着脱可能である。
【００２３】
図３及び図４中符号２７は手元管１２ｃの前端部に取付けられたロック釦を示している。ロック釦２７は、図示しない係止爪部を有し、かつ、支点を中心に回動可能であるとともに、図示しないロックばねで付勢されていて、手元管１２ｃに延長管１５を接続するために用いられている。手元管１２ｃの前端部内側に挿入筒端部２２ｂを挿入されるに伴い、ロックばねの付勢力で挿入筒端部２２ｂが有する係止凹部にロック釦２７の係止爪部が係合された状態が保持されて、手元管１２ｃに掃除用具２１が取付けられるようになっている。又、この取付け状態で、ロックばねに抗してロック釦２７を押して回動させることにより、係止爪部が係止凹部から外されようになっているので、この後に掃除用具２１を引き動かすことで、掃除用具２１を手元管１２ｃの前端部から外すことができる。なお、同様のロック釦が、延長管１５の上流側管１７の前端部にも、接続管２０との接続を担うために取付けられており、このロック釦を利用して上流側管１７の前端部にも掃除用具２１は着脱可能である。
【００２４】
第１の支持部２３は挿入筒端部２２ｂに例えばこの筒部の端壁をなして設けられている。なお、この挿入筒端部２２ｂの突出方向の先端を開放する場合は、挿入筒端部２２ｂの長さ方向中間部に第１の支持部２３を設けることができる。第１の支持部２３にその中央部を避けて複数の通気孔２８が開けられている。第２の支持部２４は、第１の支持部２３よりも出入り口２１ａ側、例えば大径筒部２２ａの端壁２１ｃに面一に連続して設けられている。この第２の支持部２４にその中央部を避けて複数の通気孔２９が開けられている。  
各掻き落とし凸部２５は第２の支持部２４より出入り口２１ａ側、例えば大径筒部２２ａの内周面から突設されている。これら掻き落とし凸部２５は、大径筒部２２ａの周方向に沿って連続していて、その内径Ｄ２（図５参照）は後述する清掃部材４１の自由状態での外径Ｄ３（図５参照）より小さめである。掻き落とし凸部２５は単一でも良いとともに、可能な限り出入り口２１ａ側に寄せて設けることが、後述の清掃部材４１の除塵を除去する上でこの清掃部材４１との接触の機会をより多く確保できる点で好ましい。
【００２５】
用具軸３１は金属又は合成樹脂からなる。用具軸３１は、中空で、その軸方向の一端は閉じられ(この端を閉鎖端３１ａと称する)、かつ、軸方向の他端は開放されている(この端を開放端３１ｂと称する)。この用具軸３１は、第１の支持部２３と第２の支持部２４の中心部を貫通してこれらに支持されていて、その貫通箇所をガイドにして用具筒体２２の軸方向に移動可能である。このように用具軸３１が第１の支持部２３と第２の支持部２４の２箇所で支持されることにより、用具軸３１の傾きが抑制されて、この用具軸３１が略真っ直ぐに移動されるようになっている。
【００２６】
用具軸３１は、抜け止め部３２と、ばね受け３３と、複数の孔３４を有している。
【００２７】
抜け止め部３２は用具軸３１の開放端３１ｂの周りに突出して形成されている。この抜け止め部３２は第１の支持部２３に接離可能であり、図３（Ｂ）に示すように抜け止め部３２が第１の支持部２３に接することにより、それ以上、用具軸３１が出入り口２１ａへ移動することが妨げられて、用具筒体２２に用具軸３１が軸方向に位置決めされるようになっている。
【００２８】
用具軸３１は、抜け止め部３２と第１の支持部２３とで位置決めされた状態で、その閉鎖端３１ａ側の部位３１ｃ（図５参照）が用具筒体２２から外に突出する長さを有している。ばね受け３３は用具軸３１の軸方向中間外周面に突設されている。このばね受け３３と閉鎖端３１ａとの間が前記部位３１ｃをなしている。この部位３１ｃの長さは大径筒部２２ａの軸長より短く、部位３１ｃに複数の孔３４が部位３１ｃの内外を連通して開けられている。ばね受け３３の直径は掻き落とし凸部２５の内径Ｄ２より小さく、ばね受け３３は掻き落とし凸部２５を通過することができる。このばね受け３３には複数の通孔３３ａが開けられているが、これらの通孔３３ａは省略しても良い。
【００２９】
清掃部材４１は、用具軸３１の前記部位３１ｃに、孔３４を避けて、かつ、部位３１ｃの全周にわたって多数植毛された毛材４１ａの群れからなる。これらの毛材４１ａは、静電気により塵が付着される材料例えば自在に変形が可能な化学繊維からなり、各毛材４１ａはもじゃもじゃの状態によれている（なお、図面では理解を容易にする都合上、よれた状態ではなく直毛の状態で描いた。）。したがって、清掃部材４１は、その毛材４１ａが用具軸３１から放射状に植毛されたモップ状に形成されている。この清掃部材４１の自由状態での直径Ｄ３は、大径筒部２２ａの内径Ｄ１より小さく、かつ、掻き落とし凸部２５の内径Ｄ２より大きい。
【００３０】
ばね４５は、用具軸３１を巻装するコイルばねであり、その一端を第２の支持部２４に支持させるとともに他端をばね受け３３に支持させて、これら第２の支持部２４とばね受け３３との間に設けられている。このばね４５によって、用具軸３１がその閉鎖端３１ａ側の部位３１ｃが出入り口２１ａから突出する方向に付勢されている。
【００３１】
電気掃除機１の通常の掃除状態では、電動送風機５の運転により、既述のように吸塵風路部材１１の吸込み口体１８の吸込み開口を通して吸塵が行われる。この場合、掃除用具２１は吸塵風路部材１１から外されていて使用されない。そのため、掃除用具２１が集塵袋６の上流側に配置されて清掃部材４１に塵埃が付着されることがないので、通常の掃除状態において掃除用具２１を原因として集塵袋６での集塵不良を生じることがない。
【００３２】
掃除用具２１は棚上や机上等を掃除するのに使用され、次に、この掃除用具２１を用いての掃除について説明する。この掃除は、掃除用具２１を単独で、若しくは、電動送風機５を運転させない状態で、掃除用具２１を吸塵風路部材１１が備えた吸塵ホース１２の手元管１２ｃに接続した状態で行われる。
【００３３】
掃除用具２１が使用される状態では、図３（Ａ）（Ｂ）に示すように清掃部材４１が装着された用具軸３１の部位３１ｃが、ばね４５の付勢力で用具筒体２２から突出されている。この状態では、用具軸３１の抜け止め部３２が掃除用具２１の第１の支持部２３に接していて、清掃部材４１全体が用具筒体２２から突出された状態に、用具軸３１が位置決めされている。言い換えれば、清掃部材４１が使用可能な突出状態に保持されているので、掃除用具２１を使用する都度、その直前に清掃部材４１を手で引出して、その引出し状態に保持するための手間を要することがない。
【００３４】
前記状態で使用者は用具筒体２２又は手元管１２ｃのハンドル１３を握って、棚上などの掃除箇所を清掃部材４１で軽く拭くように操作すればよい。それにより、清掃部材４１をなした毛材４１ａが掃除箇所に擦れる等により静電気を帯びるので、この静電気により掃除箇所上の微細な塵を吸付けて、掃除箇所を掃除できる。
【００３５】
この掃除操作において、用具軸３１の先端が掃除箇所に押付けられるような操作状況になっても、それに応じて清掃部材４１が大径筒部２２ａ内に入り込むように用具軸３１がばね４５の付勢力に抗して移動される。そのため、掃除箇所が用具軸３１の先端で強く押されて傷付けられることが抑制される。
【００３６】
掃除用具２１を用いた掃除後に、この掃除用具２１の清掃部材４１に付着した塵を取除くには、まず、掃除用具２１を吸塵風路部材１１が備えた吸塵ホース１２の手元管１２ｃに、掃除用具２１の挿入筒端部２２ｂを挿入して、この掃除用具２１を吸塵ホース１２に接続した後に、本体ケース４内の電動送風機５を運転すればよい。
【００３７】
これにより、電動送風機５の真空吸引力が吸塵ホース１２を通じて掃除用具２１内に波及するので、大径筒部２２ａの出入り口２１ａから外気が吸込まれる。それに伴い、用具軸３１が、ばね４５の付勢力に抗して通気孔２８を有した第１の支持部２３及び通気孔２９を有した第２の支持部２４にガイドされながら下流側に移動されるとともに、清掃部材４１が、大径筒部２２ａ内にその出入り口２１ａを通って引込まれ、かつ、ばね４５は短くなるように弾性変形される。
【００３８】
この場合、清掃部材４１をなした毛材４１ａの通風抵抗で前記引込みは可能であるが、本実施形態では、用具軸３１にその外周から突出する円板状のばね受け３３での通風抵抗が加味されるので、より容易かつ円滑に前記引込みが行われる。しかも、本実施形態では、清掃部材４１の自由状態での外径Ｄ３が大径筒部２２ａの内径Ｄ１より小さめであるので、以上の引込みの際に清掃部材４１の外周部が大径筒部２２ａの内周面に接し難く、したがって、より容易に前記引込みが行われる。清掃部材４１が、大径筒部２２ａ内に引込まれた状態を図４（Ａ）（Ｂ）に示す。
【００３９】
こうした引込みに伴って、微細な塵が付着された清掃部材４１の外周部が掻き落とし凸部２５に接触しながらこの掻き落とし凸部２５を通過するので、その際に清掃部材４１の外周部に付着された塵が掻き落とされる。これとともに、清掃部材４１が収められている用具筒体２２には、その出入り口２１ａから吸込まれる外気が流通している。そのため、以上のように掻き落とされた塵を、掃除用具２１内を流通する気流にのせて、吸塵ホース１２を経由させて本体ケース４内の集塵袋６に吸込むことができる。
【００４０】
更に、ばね受け３３が複数の通孔３３ａを有しているので、以上の清掃部材４１の除塵において、ばね受け３３が邪魔になって清掃部材４１の外周部だけに集中して気流が通過することがなく、通孔３３ａを通しても清掃部材４１側の空気が吸込まれる。そのため、清掃部材４１の外周部と根元部(中心部)との間の中間部についても気流が流通されるに伴い、前記中間部に入り込んだ微細な塵も除塵できる。
【００４１】
しかも、用具軸３１は中空で清掃部材４１の根元部に開口する複数の孔３４を有しているので、以上の清掃部材４１の除塵において、各孔３４を通して清掃部材４１の根元部の空気が用具軸３１内に吸込まれる。そのため、清掃部材４１の根元部に入り込んだ微細な塵も除塵できる。
【００４２】
以上のようにキャニスタ型の電気掃除機１のアタッチメントとして装備される掃除用具２１は、電気掃除機１の吸塵ホース１２に取付けて棚上などを掃除するのに適しているとともに、その使用後において、掃除用具２１の清掃部材４１に付着された塵を、電気掃除機１が備えた電動送風機５の真空吸引力で容易かつ確実に除去できる。
【００４３】
なお、電動送風機５の運転が停止されると、ばね４５の付勢力で用具軸３１及び清掃部材４１が押戻される。
【００４４】
図６及び図７を参照して本発明の第２の実施の形態を説明する。この第２実施形態は以下説明する事項以外は第１実施形態と同じであるので、第１実施形態と同じ構成については第１実施形態と同符号を付してその説明を省略するとともに、以下の説明において必要により図１及び図５を参照する。
【００４５】
第２実施形態の掃除用具２１は、用具軸３１をその軸周りに回転させる回転付与手段、例えばプロペラ５１を備えている。そのために、用具軸３１は、挿入筒端部２２ｂの外部に突出された延長端部３１ｄを有している。延長端部３１ｄは挿入筒端部２２ｂの突出方向と同方向に突出され、その先端が開放端３１ｂになっているとともに、突出基部の外面に抜け止め部３２が形成されている。この延長端部３１ｄの先端部外周にプロペラ５１が一体に形成されている。このプロペラ５１は吸塵ホース１２の手元管１２ｃ内に挿脱される大きさである。なお、延出端部３１ａ及びこれにプロペラ５１を設けることに代えて、ばね受け３３を兼ねてプロペラ５１を設けることも可能である。
【００４６】
プロペラ５１が用具軸３１に設けられていることにより、清掃部材４１の除塵初期、つまり、電動送風機６（図１参照）の運転により清掃部材４１が真空吸引力で用具筒体２２の大径筒部２２ａ内に引込まれる際に、プロペラ５１を通過する気流によって用具軸３１が回転されるので、清掃部材４１は用具軸３１とともに回転されながら大径筒部２２ａ内に引込まれる。これにより、清掃部材４１の外周部に付着した微細な塵に対する掻き落とし凸部２５の掻き落としをより確実にできる。
【００４７】
第２実施形態では、清掃部材４１の自由状態での外径Ｄ３（図５参照）を、用具筒体２２の大径筒部２２ａの内径Ｄ１（図５参照）より大きくしてある。これにより、清掃部材４１が大径筒部２２ａに出入りされる際、清掃部材４１の外周部が大径筒部２２ａの内面に擦られる。そのため、吸塵ホース１２に接続された掃除用具２１を使用するに先立ち、電動送風機６を操作パネル１４でのスイッチ操作で断続運転させて、清掃部材４１を繰り返して大径筒部２２ａに出入りさせることにより、清掃部材４１に静電気を帯電させることができる。したがって、こうすることで、掃除用具２１による静電気を利用した微細な塵の吸付ける効果が高められる。
【００４８】
以上説明した事項以外は、図６及び図７に示されない構成を含めて第１実施形態と同じである。そのため、この第２実施形態においても第１実施形態で既に説明した理由により、本発明の課題を解決できる。
【００４９】
図８及び図９を参照して本発明の第３の実施の形態を説明する。この第３実施形態は以下説明する事項以外は第１実施形態と同じであるので、第１実施形態と同じ構成については第１実施形態と同符号を付してその説明を省略するとともに、以下の説明において必要により図１及び図５を参照する。
【００５０】
第３実施形態の掃除用具２１は、用具軸３１をその軸周りに回転させる回転付与手段例えば螺旋溝５５を備えている。螺旋溝５５は、図９に示すようにばね４５が伸張された状態にあるときのばね４５の長さＬより若干長い範囲にわたって用具軸３１の外周に設けられている。図９に示すように用具軸３１が第２の支持部２４を貫通した箇所において螺旋溝５５は第２の支持部２４の貫通孔の縁２４ａに噛合うように係合されている。
【００５１】
以上のように螺旋溝５５が用具軸３１に設けられ、かつ、螺旋溝５５が第２の支持部２４に噛合わされていることにより、清掃部材４１の除塵初期、つまり、電動送風機６（図１参照）の運転により清掃部材４１が真空吸引力で用具筒体２２の大径筒部２２ａ内に引込まれる際に用具軸３１が回転されるので、清掃部材４１は用具軸３１とともに回転されながら大径筒部２２ａ内に引込まれる。これにより、清掃部材４１の外周部に付着した微細な塵に対する掻き落とし凸部２５の掻き落としをより確実にできる。又、この除塵後に電動送風機６の運転が停止されて吸込み力(真空吸引力)が消失するに伴い、ばね４５の付勢力で用具軸３１及び清掃部材４１が大径筒部２２ａ外に押し出される際にも、これらが第２の支持部２４に噛合わされた螺旋溝５５により回転される。
【００５２】
更に、第２実施形態と同様に清掃部材４１の自由状態での外径Ｄ３（図５参照）を、用具筒体２２の大径筒部２２ａの内径Ｄ１（図５参照）より大きくしてある。そのため、吸塵ホース１２に接続された掃除用具２１を使用するに先立ち、電動送風機６を操作パネル１４でのスイッチ操作で断続運転させて、清掃部材４１を繰り返して大径筒部２２ａに出入りさせることにより、大径筒部２２ａの内面で擦られる清掃部材４１の周部に静電気を帯電させることができる。或いは、吸塵ホース１２に接続された掃除用具２１を使用するに先立ち、電動送風機６を所定時間の間連続運転させることにより、大径筒部２２ａの内面を周方向に擦る清掃部材４１の周部に静電気を帯電させることができる。したがって、これらの手順による清掃部材４１の帯電により、掃除用具２１による静電気を利用した微細な塵の吸付ける効果が高められる。
【００５３】
以上説明した事項以外は、図８及び図９に示されない構成を含めて第１実施形態と同じである。そのため、この第３実施形態においても第１実施形態で既に説明した理由により、本発明の課題を解決できるとともに、以下の説明において必要により図１及び図５を参照する。
【００５４】
図１０及び図１１を参照して本発明の第３の実施の形態を説明する。この第３実施形態は以下説明する事項以外は第１実施形態と同じであるので、第１実施形態と同じ構成については第１実施形態と同符号を付してその説明を省略する。
【００５５】
第３実施形態の掃除用具２１は、用具軸３１を振動させる加振手段６１を備えている。加振手段６１は、図１１に示すようにラック６２と、加振軸６３と、加振ヘッド例えば加振ローラ６４と、加振ばね６５を有している。
【００５６】
ラック６２は用具軸３１の外面にこの用具軸３１の軸方向に延びて形成されている。用具軸３１は、その軸周りに沿って回転しないように回り止めされて第２の支持部２４を貫通している。更に、用具軸３１は第１の支持部２３の中心部に形成された貫通孔２３ａは、用具軸３１より多少大き目で、この貫通孔２３ａに用具軸３１が遊挿されていて、それにより、用具軸３１は第２の支持部２４を支点として図１１中上下方向に動き得るように支持されている。
【００５７】
加振軸６３は、挿入筒端部２２ｂに設けられた軸支え部２２ｃに、これを貫通し軸方向に移動可能に取付けられている。加振ローラ６４は加振軸６３の先端部に回転自在に取付けられている。この加振ローラ６４は、ラック６２に見合った大きさで、ラック６２の歯部とこれに隣接した歯部との間の凹みに挿脱可能である。加振ばね６５は加振軸６３を用具軸３１に向けて付勢して設けられており、その付勢により加振ローラ６４がラック６２に押付けられている。
【００５８】
こうした加振手段６１を備えたことにより、電動送風機６(図１参照)の運転開始により生じる真空吸引力で、用具軸３１が軸方向に移動されて清掃部材４１とともに大径筒部２２ａに引き込まれるに伴い、加振ローラ６４がラック６２の歯部に加振ばね６５に抗して乗り上げた直後に、隣接した歯部相互間の凹みに加振ばね６５の付勢力で落ち込む挙動を繰り返す。それにより、用具軸３１が第２の支持部２４を支点として図１１中上下方向に動き得るように振動されるに伴い、用具筒体２２の大径筒部２２ａに出入りしつつある清掃部材４１も振動される。これにより、清掃部材４１の外周部に付着した微細な塵に対する掻き落とし凸部２５の掻き落としをより確実にできる。
【００５９】
更に、第２実施形態と同様に清掃部材４１の自由状態での外径Ｄ３（図１参照）を、用具筒体２２の大径筒部２２ａの内径Ｄ１（図１参照）より大きくしてある。そのため、吸塵ホース１２に接続された掃除用具２１を使用するに先立ち、電動送風機６を操作パネル１４でのスイッチ操作で断続運転させて、清掃部材４１を繰り返して大径筒部２２ａに出入りさせることにより、大径筒部２２ａの内面で擦られる清掃部材４１の周部に静電気を帯電させることができる。したがって、こうすることで、掃除用具２１による静電気を利用した微細な塵の吸付ける効果が高められる。
【００６０】
以上説明した事項以外は、図１０及び図１１に示されない構成を含めて第１実施形態と同じである。そのため、この第４実施形態においても第１実施形態で既に説明した理由により、本発明の課題を解決できる。
【符号の説明】
【００６１】
１…電気掃除機、２…掃除機本体、４ａ…吸塵口、５…電動送風機、１１…吸塵風路部材、１２…吸塵ホース、１５…延長管、１８…吸込み口体、２１…掃除用具、２１ａ…出入り口、２２…用具筒体、２２ｂ…挿入筒端部、２４…支持部、２５…掻き落とし凸部、３１…用具軸、３１ｂ…開放端、３１ｃ…部位、３３…ばね受け部、３４…孔、４１…清掃部材、４１ａ…毛材、４５…ばね、５１…プロペラ（回転付与手段）、５５…螺旋溝（回転付与手段）、６１加振手段
【図１】
2011000393.tif 000003
【図２】
2011000393.tif 000004
【図３】
2011000393.tif 000005
【図４】
2011000393.tif 000006
【図５】
2011000393.tif 000007
【図６】
2011000393.tif 000008
【図７】
2011000393.tif 000009
【図８】
2011000393.tif 000010
【図９】
2011000393.tif 000011
【図１０】
2011000393.tif 000012
【図１１】
2011000393.tif 000013